(57)【要約】【課題】パターをまっすぐに引き、まっすぐ打ち出すことを、肩・腕・手で体感することができ、さらにヘッドアップ防止、及びその確認が容易にできる、パター練習器を提供する。【解決手段】パタークラブを振る際のクラブの通り道となる長さ方向に沿って、短辺側と天井部分を開口した長方形の箱型を形成し、この箱型の２つの壁部位（２）、（３）を各々内側に向かってやや突き出た凸状とし、該箱型底部（１）にあっては、前記長さ方向に沿って、センターライン（６）１本、該センターラインの左右に平行にサイドライン（７）を各々２本引き、かつ、長さ方向の前方には、ボール位置マーク（４）とともにヘッドアップ防止の確認のための３色インジケーションライン（５）を引き、さらにフォロー部分には、傾斜（９）と線条溝（８）を設けたパター練習器であることを特徴とする。【選択図】  図１
2006075544.tif 000002
【特許請求の範囲】
【請求項１】
パタークラブを振る際のクラブの通り道となる長さ方向に沿って、短辺側と天井部分を開口した長方形の箱型を形成し、この箱型の２つの壁部位を各々内側に向かってやや突き出た凸状とし、該箱型底部にあっては、前記長さ方向に沿って、センターライン１本、該センターラインの左右に平行にサイドラインを各々２本引き、かつ、長さ方向の前方には、ボール位置マークとともにヘッドアップ防止の確認のための３色インジケーションラインを引き、さらにフォロー部分には、傾斜と線条溝を設けたことを特徴とする、パター練習器。
【発明の詳細な説明】
【技術分野】
【０００１】  本発明は、ゴルフのパッティングに際して、ヘッドアップ防止とその確認ができ、また、肩・腕・手を使ってまっすぐ引き、まっすぐに打ち出すことを体感できる、パター練習器に関するものである。
【背景技術】
【０００２】  従来、５０ｃｍから６０ｃｍのテイクバック、ヒット、フォローのパタースイング作りに、まっすぐ引き、まっすぐ打つことを、肩・腕・手で体感できる練習器はなかった。
あったのは、打った後、一点を見つめるというヘッドアップ防止練習器、そして、ごく普通に見かける、人工芝の延長上にカップがあり、そこをねらって打つ、というものがあった。
また、糸を張り、それに沿って打つというものがあった。
さらに、特許、実用新案等の先行技術文献においては、下記特許文献１（考案の名称：ゴルフ練習具）のように、パタークラブに限定しないものの、正しいゴルフスイングを習得するため、前後に形成したガイド壁の中を、正しい軌道でヘッドが通過するようスイングさせる練習具が開示されている。
同様に下記特許文献２（考案の名称：パターストローク矯正練習器）にあっては、パターのストロークを矯正させるため、平行に相対向するように立設したガイド壁と、それらの間に挿入され、少なくとも一方の壁に対して転動可能なガイドローラを備えたパターにより構成された練習器具の技術が示されている。【０００３】
【特許文献１】実開平５−６３５７２号公報
【特許文献２】登録実用新案公報第３０７６８９６号公報
【発明の開示】
【発明が解決しようとする課題】
【０００４】  パタースイングは、まっすぐに引き、ヒット後、まっすぐフォロー、が基本だが、従来の練習器にあっては、単純なライン上をスイングさせるものや、糸を引いて練習するもの、また、単純にカップインさせるだけの練習器具であった。
上記の練習器では、まっすぐ引き、まっすぐ打つということの体感ができなかった。
また、上記特許文献１の技術にあってはパタースイング全体のうち、始めの段階のボールの位置決めや、フォロースイング時のヘッドアップの有無の確認を行う手だてが課題として残る。
さらに上記特許文献２では、パターに備えられたガイドローラが、あらかじめ軌道を矯正した上で自ずとスイングさせられてしまう感覚となるため、自立的な軌道修正の練習になじまず、また、特許文献１と同様、やはりフォロー時のヘッドアップ確認に対する技術的配慮がなされていないと思われる。
本発明は、以上の問題点を解決し、誰もが基本どおりのパタースイングを体感でき、そして、ヘッドアップ防止、及びその確認ができるパター練習器を提供しようとするものである。
【課題を解決するための手段】
【０００５】  パタークラブをまっすぐに引いてまっすぐに打つことを可能とするため、パタークラブのトウ側（先端）とヒール側（後端）が、各々とやや間隔を置きつつライン方向に沿って接する壁部位を、それぞれ内側に向かってやや突出する凸状にした長方形の箱形を形成し、該箱型の短辺側と天井部分を開口とした中で、スイングしたクラブが両壁を擦る感覚を体感可能な構成とし、該箱型底部には、箱型の長さ方向に沿って、センターライン１本、該センターラインの左右に平行にサイドラインを各々２本引き、かつ、長さ方向の前方には、ボール位置マークとともにヘッドアップ防止の確認のための３色インジケーションラインを引き、さらにフォロー部分には、傾斜と溝を設けたパター練習器とする。
【発明の効果】
【０００６】  本発明は、アマチュアからトッププロにいたるまで、パタークラブを本発明の構成底部のセンターライン及びサイドラインに沿い、凸状の内壁面に擦り付けながら、テイクバック、ヒット、フォローをすることにより、簡単に、パタースイングの永遠の基本である、まっすぐに引き、まっすぐに打ち出すということを容易に体感することができ、なおかつ、３色インジケーションラインにより、ヘッドアップ防止、及びその確認が容易にでき、悩めるゴルファーの技術向上に大いに寄与するものである。
【発明を実施するための最良の形態】
【０００７】  本発明の実施例について説明すれば、
イ．パタークラブを振る際のクラブの通り道となる長さ方向に沿って、短辺側と天井部分を開口した長方形の箱型を形成する。
なお、この箱型の底面（裏）部位には、スイングの際のクラブのトウ側、ヒール側のこすりつきによる生じたブレにより位置を移動してしまわないように、滑り止めを形成することが望ましい。
ロ．この箱型の２つの壁部位（２）、（３）は、各々内側に向かってやや突き出た凸状として形成される。
ハ．該箱型底部（１）においては、長方形の長さ方向に沿って、センターライン（６）１本、該センターラインの左右に平行にサイドライン（７）を各々２本引き、かつ、長さ方向の前方には、ボール位置マーク（４）とともにヘッドアップ防止の確認のための３色インジケーションライン（５）を引く。
このインジケーションライン（５）とは、箱型の長さ方向前方に形成された無数の線条溝（８）に沿い、センターライン前方に配置され、ヘッドアップの有無を確認する機能を担う。
ニ．さらに箱型の前方、フォロー方向には、傾斜（９）が形成されている。
以上のごとく構成された、パター練習器であることを特徴とする。
本発明を使用する時は、パタークラブのトウ側あるいはヒール側をそれぞれ対応する壁部位（２）または（３）にこすりつけつつスイングを進行させ、テイクバック、フォローの素振りを練習することにより、まっすぐ引き、まっすぐフォローすることを、肩・腕・手によって体感することができる。
また、素振り以外で、実際にゴルフボールを置いての練習では、本発明の箱型のセンターライン（６）あるいはサイドライン（７）に沿ってテイクバック、そしてボールをヒット後、３色インジケーションライン（５）を目視確認することで、ヘッドアップしなかったことを、また同様に目視確認できなかったことで、ヘッドアップしてしまったことの確認を意識づけるものとなる。
【図面の簡単な説明】
【０００８】
【図１】  本発明の実施例を示す斜視図
【図２】  本発明の実施例における平面図
【図３】  本発明の正面方向から見た斜視図
【図４】  本発明の使用状態を示す斜視図
【符号の説明】
【０００９】１    箱型底部
２    壁部位
３    壁部位
４    ボール位置マーク
５    ３色インジケーションライン
６    センターライン
７    サイドライン
８    線条溝
９    傾斜
【図１】
2006075544.tif 000003
【図２】
2006075544.tif 000004
【図３】
2006075544.tif 000005
【図４】
2006075544.tif 000006